(57)【要約】      （修正有）【課題】煙草ケースに煙草容器を円滑に差し込むことができ且つ煙草ケースから煙草容器が不用意に抜け出さない煙草ケースを提供する。【解決手段】対向する前・後面板１，２と、前・後面板１，２の下部相互を繋ぐ底面板３を具備し、外力が加わっていないときには、バネ要素により前・後面板１，２相互の上部側が下部側よりも接近した状態になっている。前・後面板１，２の側縁には、当該前・後面板１，２の対向面側に略直角方向に曲がる片１０，２０を設ける。【選択図】図１
0003116461.tif 000002
【実用新案登録請求の範囲】
【請求項１】
対向する前・後面板と、前記前・後面板の下部相互を繋ぐ底面板を具備し、外力が加わっていないときには、バネ要素により前・後面板相互の上部側が下部側よりも接近した状態になっていることを特徴とする煙草ケース。
【請求項２】
前・後面板の側縁には、当該前・後面板の対向面側に略直角方向に曲がる片を設けてあることを特徴とする請求項１記載の煙草ケース。
【請求項３】
バネ要素は、弾性を有する底面板であることを特徴とする請求項１又は２記載の煙草ケース。
【請求項４】
全体が弾性合成樹脂により構成されていることを特徴とする請求項１乃至３のいずれかに記載の煙草ケース。
【考案の詳細な説明】
【技術分野】
【０００１】
この考案は、煙草容器を収容するための煙草ケースに関するものである。
【背景技術】
【０００２】
一般に煙草は、袋状の包装紙に包む形態の容器や、紙製のボックス形状の容器に収めるようにして市販されている。
【０００３】
したがって、ポケットや小物入れに収容した状態において外力により煙草が折れ曲がったり、潰れたりすることがあった。このような事態を回避するため、人によっては上端開放の箱型の煙草ケースを使用している。
【０００４】
しかしながら、上記煙草ケースでは、煙草容器の差し込みを円滑にすべく、煙草ケースと煙草容器との嵌め合いを緩くしているので、ポケットや小物入れ内において煙草ケースから煙草容器が抜け出してしまい、ほとんど意味がないものとなることもあった。
【０００５】
したがって、煙草ケースを使用する人たちは、煙草ケースに煙草容器を円滑に差し込むことができ且つ煙草ケースから煙草容器が不用意に抜け出さない煙草ケースが市場に出回ることを待ち望んでいる。
【考案の開示】
【考案が解決しようとする課題】
【０００６】
そこで、この考案では、煙草ケースに煙草容器を円滑に差し込むことができ且つ煙草ケースから煙草容器が不用意に抜け出さない煙草ケースを提供することを課題とする。
【課題を解決するための手段】
【０００７】
（請求項１記載の考案）
この発明の煙草ケースは、対向する前・後面板と、前記前・後面板の下部相互を繋ぐ底面板を具備し、外力が加わっていないときには、バネ要素により前・後面板相互の上部側が下部側よりも接近した状態になっている。
（請求項２記載の考案）
この発明の煙草ケースは、上記請求項１記載の考案に関し、前・後面板の側縁には、当該前・後面板の対向面側に略直角方向に曲がる片を設けてある。
（請求項３記載の考案）
この発明の煙草ケースは、上記請求項２記載の考案に関し、バネ要素は、弾性を有する底面板である。
（請求項４記載の考案）
この発明の煙草ケースは、上記請求項１乃至３のいずれかに記載の考案に関し、全体が弾性合成樹脂により構成されている。
【考案の効果】
【０００８】
この考案の煙草ケースによると、煙草ケースに煙草容器を円滑に差し込むことができ且つ煙草ケースから煙草容器が不用意に抜け出さない。
【０００９】
上記効果は以下の考案を実施するための最良の形態の欄で明らかにする。
【考案を実施するための最良の形態】
【００１０】
以下にこの考案の煙草ケースを実施するための最良の形態としての実施例について詳細に説明する。
【実施例１】
【００１１】
図１はこの考案の実施例１の煙草ケースＫと煙草容器Ｔとの斜視図、図２は前記煙草容器Ｔを煙草ケースＫの上端開放部から差し込んだ状態を示す斜視図、図３は外力が作用しない状態において前・後面板１，２相互の上部側が下部側よりも接近している状態の図、図４は外力を加えることにより前・後面板１，２相互の上部側が下部側よりも離れた状態の説明図、図５は残りの煙草の本数が少なくなって煙草容器Ｔの厚みが小さくなってきた場合でも引き続き前・後面板１，２からの挟持力により煙草容器Ｔが支持されている状態の断面図を示している。
（この煙草ケースＫの基本的構成について：煙草容器Ｔが袋状の包装紙に包む形態の容器の場合）
この煙草ケースＫは、全体が弾性合成樹脂により構成されており、図１や図２に示すように、対向する前・後面板１，２と、前記前・後面板１，２の下部相互を繋ぐ底面板３を備え、前・後面板１，２の両側縁には、当該前・後面板１，２の対向する側に略直角方向に曲がる片１０，２０を設けてある。
【００１２】
前・後面板１，２は、図２に示すように、煙草容器Ｔの前・後面の大きさに設定してあり、前・後面板１，２の内面相互間距離を煙草容器Ｔの厚み幅に設定してある。また、前・後面板１，２は、図１に示すように煙草容器Ｔの高さと同じ高さに設定してある。
【００１３】
片１０，２０は、上部側は幅広に、下部側は幅狭に、それぞれ設定してあり、対向する片１０，２０における幅広部分相互間には小さな隙間が、幅狭部分相互間には１４ｍｍ程度の隙間が、それぞれ形成してある。
【００１４】
底面板３は、図１に示すように、前・後面板１，２の横幅寸法の１／３程度の幅に設定してある。
【００１５】
ここで、この煙草ケースＫでは、外力が作用しない状態では弾性を有する底面板３により、図３に示す如き前・後面板１，２相互の下部側よりも上部側の方が接近した状態となっている。
（この煙草ケースＫの使用方法とその効果について）
この煙草ケースＫに、煙草容器Ｔを差し込む場合、前・後面板１，２の上端側を底面板３の弾性力に抗して、図３の状態から図１及び図４の状態に煙草容器Ｔの厚み幅寸法よりも大きく押し開く。この状態を維持し、前記上端開放部から煙草容器Ｔを差し込むが、この差し込み作業は非常に円滑である。
【００１６】
次に、煙草ケースＫから外力を取り除く。すると、底面板３の弾性復帰力（弾性合成樹脂で構成された底面板３は、課題を解決するための手段の欄に記載のバネ要素に対応する）により煙草容器Ｔは図２に示すように前・後面板１，２の上部により挟持された状態になり、煙草容器Ｔは煙草ケースＫに対して抜け止め状態になる。
【００１７】
つまり、上記した如く煙草容器Ｔの煙草ケースＫへの差し込み作業は非常に円滑となり、ポケットや小物入れ内において煙草ケースＫから不用意に煙草容器Ｔが抜け出してしまうことがない。
【００１８】
ここで、この煙草ケースＫでは、残りの煙草の本数が少なくなって煙草容器Ｔの厚みが小さくなってきた場合でも、図５に示すように、引き続き前・後面板１，２からの挟持力により挟んだ状態が維持される。よって、この場合においても、ポケットや小物入れ内において煙草ケースＫから不用意に煙草容器Ｔが抜け出してしまうことがない。
【００１９】
また、愛煙家の場合、煙草容器Ｔに記載されている「吸い過ぎに注意しましょう」等の内容を見るたびに不快な思いをするものであるが、この煙草ケースＫを使用した場合にはこれらの文字を覆い隠すことも可能である。
【００２０】
さらに、一方の手で煙草ケースＫを掴むと共に、両方の片１０，２０相互間の間隙に現れている煙草容器Ｔ部分を他方の手の二本指で挟みこみ、この状態で煙草容器Ｔを挟みこんだ指を煙草ケースＫの上端解放部側に移動させれば、容易に煙草ケースＫから煙草容器Ｔを取り出すことができる。
【実施例２】
【００２１】
図６はこの考案の実施例２の煙草ケースＫと煙草容器Ｔとの斜視図、図７は前記煙草容器Ｔを煙草ケースＫの上端開放部から差し込んだ状態を示す斜視図を示している。
（この煙草ケースＫの基本的構成について：煙草容器Ｔが紙製のボックス形状の容器の場合）
この煙草ケースＫは、図６や図７に示すように、基本的には実施例１と同じ材料により構成され、ほぼ同じ形状に形成されているが、煙草容器Ｔが紙製のボックス形状の容器であるが故に以下の点で相違している。
【００２２】
まず、ボックス形状の煙草容器Ｔでは、図６や図７に示すように、蓋ｔが比較的深いので、蓋ｔの開閉ができるようにする分に煙草ケースＫの高さを短くしている。
【００２３】
また、この形状の煙草容器Ｔでは、外力が作用しない状態では、前・後面板１，２相互の下部側よりも上部側の方が僅かに接近しているのみである。何故ならば、この煙草容器Ｔでは、煙草の本数が少なくなっても容器自体がある程度の保形性を有しているから、実施例１の如く前・後面板１，２相互の下部側よりも上部側の方が大きく接近していなければならない必要はないからである。
（この煙草ケースＫの使用方法とその効果について）
この煙草ケースＫに、煙草容器Ｔを差し込む場合、実施例１と同様にすればよく、この場合においても差し込み作業は非常に円滑である。
【００２４】
煙草ケースＫから外力を取り除くと、実施例１と同様に煙草容器Ｔは煙草ケースＫに対して抜け止め状態になる。よって、この場合においても、ポケットや小物入れ内において煙草ケースＫから不用意に煙草容器Ｔが抜け出してしまうことがない。
（その他の実施の形態）
上記実施例１、２に関して、底面板３の幅は前・後面板１，２の幅と同じにすることができる。
【００２５】
また、上記実施例１、２に関して、片１０，２０は上端から下端まで同一幅とすることができる。
【００２６】
さらに、前・後面板１，２及び底面板３を別体に構成すると共に、前面板１と底面板３を、後面板２と底面板３を、それぞれバネ４で接続し、この状態において前・後面板１，２相互の下部側よりも上部側の方が接近させるようにしてもよい。この形態においても、上記実施例１、２と同様の効果を有する。
【図面の簡単な説明】
【００２７】
【図１】この考案の実施例１の煙草ケースと煙草容器との斜視図。
【図２】前記煙草容器を煙草ケースの上端開放部から差し込んだ状態を示す斜視図。
【図３】外力が作用しない状態において前・後面板相互の上部側が下部側よりも接近している状態を示す図。
【図４】外力を加えることにより前・後面板相互の上部側が下部側よりも離れた状態の説明図。
【図５】残りの煙草の本数が少なくなって煙草容器の厚みが小さくなってきた場合でも引き続き前・後面板からの挟持力により煙草容器が支持されている状態の断面図。
【図６】この考案の実施例２の煙草ケースと煙草容器との斜視図。
【図７】前記煙草容器を煙草ケースの上端開放部から差し込んだ状態の斜視図。
【図８】他の実施の形態における煙草ケースの説明図。
【符号の説明】
【００２８】
Ｋ        煙草ケース
Ｔ        煙草容器
１        前面板
２        後面板
３        底面板
１０      片
２０      片
【図１】
0003116461.tif 000003
【図２】
0003116461.tif 000004
【図３】
0003116461.tif 000005
【図４】
0003116461.tif 000006
【図５】
0003116461.tif 000007
【図６】
0003116461.tif 000008
【図７】
0003116461.tif 000009
【図８】
0003116461.tif 000010